(57)【要約】【課題】  従来の携帯電話機は国外などで携帯電話方式や周波数の違いからサービスの無い地域では使用不可能である。  滞在国仕様の携帯電話機をレンタルして使用通することは可能ではあるが、その操作表示が滞在国の言語、異なる操作部の配置、液晶表示部上で母国語表示が不可能などの問題がある。日常使用する母国の携帯電話機使用が望まれる。【解決手段】従来の携帯電話機に対し操作の結果の入出力情報を無線送受信回路以外の回路的手段により送受信する手段を加える。  さらにその入出力情報を他の携帯電話方式に相互に変換する手段を有する付加装置と結合することで前記課題を解決する【選択図】図１
2005094721.tif 000002
【特許請求の範囲】
【請求項１】
付加装置に接続してディジタル的に情報を交換する一つまたは複数の手段と、電気的な音声信号を入力する手段と、電気的な音声信号を出力する手段とを持ち、情報交換手段により特定の種類の付加装置が接続されていることを認識する機能を持ち、その付加装置が接続されている間はキー操作信号を情報交換手段より付加装置に出力し、かつ付加装置よりの音声信号を該入力手段により入力して内蔵スピーカーに出力し、かつ内蔵マイクにより入力した利用者の音声信号を該出力手段により付加装置に出力する機能を持つことを特徴とする携帯電話端末装置
【請求項２】
請求項１に記載する通信端末装および置付加装置であって、付加装置が接続されている間は該通信端末装置が本来持つ外部への通信情報入出力機能を停止するとともに、代わって該付加装置との間で通信情報を入出力し、該付加装置が自身の持つ通信機能により外部への通信情報入出力を行うことを特徴とする通信端末装置および付加装置。
【請求項３】
請求項１または請求項２に記載する携帯電話端末装置に接続してディジタル的に情報を交換する一つまたは複数の手段と、携帯電話端末装置の出力手段に接続して電気的な音声信号を入力する手段と、携帯電話端末装置の入力手段に接続して電気的な音声信号を出力する手段および携帯電話端末装置が本来持つ通信手段とは異なる通信手段を持ち、携帯電話端末装置に対して本付加装置が請求項１に記載する特定の種類の付加装置であることを情報交換手段により認識させる機能を持ち、該付加装置が接続されている間携帯電話端末装置より出力されるキー操作信号により通信手段を制御して通信手段に入力手段および出力手段を接続し、通信手段を介して携帯電話端末装置により通信を可能ならしめる機能を持つことを特徴とする携帯電話端末付加装置。
【請求項４】
請求項１に記載する携帯電話端末装置と請求項３に記載する携帯電話端末付加装置で構成され、携帯電話端末装置のキー操作により携帯電話端末付加装置が持つ通信手段を制御し、携帯電話端末装置より付加装置の通信手段を介して通信を可能ならしめることを特徴とする通信装置
【請求項５】
請求項２に記する携帯電話端末装置と請求項３に記する携帯電話端末付加装置で構成され、携帯電話端末装置のキー操作により携帯電話端末付加装置が持つ通信手段を制御し、携帯電話端末装置の通信手段を介して通信を可能ならしめることを特徴とする通信装置
【発明の詳細な説明】
【技術分野】
【０００１】  本発明は通信分野、特に携帯電話に関するものである。
【背景技術】
【０００２】  従来の携帯電話では発呼に用いるキー操作あるいは登録による電話番号等のデータは無線回路を経由して外部に送出されていた。
また国が異なると携帯電話方式が各国間で異なる場合または周波数の違なる場合がある。
【発明の開示】
【発明が解決しようとする課題】
【０００３】  第２図は従来の携帯電話機の基本的ブロックダイアグラムであり、１はアンテナ、２は携帯電話機筐体、３は無線部、４は表示部、５は制御部、６はメモリ部、７はキー操作部、８はヒューマンインターフェース（スピーカ、マイクロフォン等）である。  図中の矢印は各部分間の信号・データの流れを表す。【０００４】  アンテナ１は、無線基地局から発射された電波を受信、および本携帯電話機からの電波を送出する。携帯電話機筐体２は各要素を格納する。無線部３は、アンテナ１を介して高周波の送受信処理を行う。  表示部４は液晶表示装置などで構成され、電話番号、受信電界強度等の通話に必須の表示を行うと共に、視覚情報（インターネット接続サービス）等の表示を行う。【０００５】  制御部５は、携帯電話機全体を制御するＣＰＵ（中央処理装置）などで構成され、メモリ部６とリンクして発呼・被呼時のプロトコル処理、通信データのＡ／Ｄ・Ｄ／Ａ変換、ベースバンド処理、表示部４やヒューマンインターフェース８の駆動、キー操作部７よりの信号受領等幅広い動作を行う。  メモリ部６は、任意に書込み／読出しが可能なＲＡＭ（ランダ厶・アクセス・メモリ）やＲＯＭ（リード・オンリ・メモリ）などで構成され、携帯電話機を動作させるための各種プログラムや、ユーザのＩＤ情報、電話番号などの携帯電話固有の情報を記憶している他、複数種類の着信通知方法の情報、ユーザがダウンロードしたメロディや画像などのデータなども記憶する。【０００６】  キー操作部７は、ユーザの操作により、文字などの入力や項目の選択などの各種操作を行うための手段である。  ヒューマンインターフェース８は、制御部５で処理された音声データに基づいて着信音の鳴動、音声情報の対人的送受を行う。  以上従来の携帯電話機の構成については公知であるので詳述はさける。かかる携帯電話機は国外など該携帯電話方式のサービスの無い地域では当然使用不可能である。【０００７】  今日携帯電話は単なる音声通話用だけではなく、液晶表示等による視覚的情報表示手段を具備し、電話機の持つ辞書機能・電話帳機能・データ通信機能・メール蓄積機能・着信音機能・着信画面機能その他多彩な機能を有し、日常必須の各種情報を格納する個人用情報端末として利用されている。  したがって例えば携帯電話使用者が国外旅行中に滞在国仕様の携帯電話機をレンタルしもしくは母国より持参して通話することは可能ではあるが、
通常そのような携帯電話機はその操作が滞在国の言語のみで示されること、操作部の配置が異なることなど不便があり、特に液晶表示部上で母国語表示が不可能であると言う大きな問題がある。【０００８】  さらに母国あてに発呼する際には、通常母国では携帯電話機内での記憶・呼び出しで簡便に使用している相手先電話番号をいちいち手動操作で入力しなければならず特に複数の相手と通話する場合極めて不便である。【０００９】  加えて現状では母国の携帯端末を国外に持参しても各国間の携帯電話方式の違いまたは周波数の違いにより、通信できない場合も多い。  このため複数の携帯電話方式を一台にまとめた複合方式携帯電話機（以下複合機と呼称する。  いわゆるデュアルモード機、トリプルモード機はこの範疇に属す）を使用せざるをえない場合もある。
しかしながら携帯電話の通信方式が各種あり、また携帯電話の通信方式が同一方式だとしても周波数割り当てが国毎に異なるため、持参する母国のモードと訪問する他国のモードの組み合わせは多岐にわたり、異なる携帯電話の通信方式（以下異種通信方式と呼称する）を採用している複数の国を順次訪れる場合、その数だけの複合機を準備しなければならず、不便である。【００１０】  また前述したように日常必須の各種情報を格納する個人用情報端末として機能しているデータを全機に移植する必要があり不便である。
また母国における複合機の常時使用はその国の通常の携帯電話機に比して機材のコスト高、大きさの増加などの面で不便である。
【課題を解決するための手段】
【００１１】  本発明は使用者が通常母国に於いて日常的に使用する携帯電話機（以下母機と呼称する）に対し該母機が後述する付加装置への接続認識手段と、該母機が操作された結果発生する出力を母機本来の無線送受信回路以外の回路的手段により送受信する手段とを付与する。
これにより母機は無線以外の情報入出力手段を有する事になる。（以下この母機を新携帯電話機と呼称する）。
その上で該送信情報を母機通信方式と異種通信方式とを相互に変換する手段を有する付加装置（以下付加装置と呼称する）と結合することにより前記課題を解決するものである。
【発明の効果】
【００１２】  以上の結果使用者は海外に於いてもその滞在国から母国内で常用する新携帯電話機を用い母国内と全く同じ操作で通話および各種通信サービスを享受する事が出来る。
【発明を実施するための最良の形態】
【実施例１】
【００１３】  図１は本発明の実施例１を示すもので、図中の破線は新携帯電話端末部と付加装置部の境界を示す。  １はアンテナ、２は携帯電話機筐体、３は無線部、４は表示部、５は制御部、６はメモリ部、７はキー操作部、８はヒューマンインターフェース（スピーカ、マイクロフォン等）、９は新携帯電話機特にその制御部５と後述する本発明による付化装置とを結合する接続部であり、本発明による新携帯電話機の特徴的要素にして、電磁気的、光学的、音響的などの物理的手段が用いられる。  以上が新携帯電話機の構成要素である。
図中の矢印は各部分間の信号・データの流れを表す。【００１４】  １１はアンテナ、１２は付加装置の筐体、１３は付加装置の無線部、１５は付加装置の制御部、１６は付加装置のメモリ部、１９は付加装置特にその制御部と前述した本発明による携帯電話機とを結合する接続部であり、電磁気的、光学的、音響的などの物理的手段が用いられる。  ２０は携帯電話機との結合検知部であり、結合認識は機械的、電磁気的、光学的、音響的などの物理的手段で行う。  以上が付加装置の構成要素である。  図中の矢印は各部分間の信号・データの流れを表す。  付言すれば付加装置はそれが使用される国、すなわち使用者の滞在する母国以外の国（以下滞在国と呼称する）の携帯電話機にかかわる法制、規格に合致するものである。【００１５】  図１のように新携帯電話機と付加装置が結合された場合、結合検知部２０による結合検知を制御部１５が認識し新携帯電話機の制御部５に対し通信の開始を請求することにより、新携帯電話機の制御部５は無線部３に対する通信情報供給先を制御部１５へと変更する。または付加装置の制御部１５が新携帯電話機の制御部５に対し通信の開始を請求することにより、あるいは新携帯電話機の制御部５が定期的に付加装置との通信可否をチェックし通信が可能となった事を認識することにより、新携帯電話機の制御部５は無線部３に対する通信情報供給先を制御部１５へと変更しても良い。【００１６】  以上の構成により使用者が滞在国で発呼するにあたっては母国に於けると同様に新携帯電話機のキー７の操作による相手先番号を入力することにより制御部５に発呼に必要なデータを送付する。  この場合母国に於けると同様にメモリ部６に記憶せる番号を呼び出して使用することが出来るのは当然である。  発呼に必要なデータは制御部５より接続部９及び接続部１９を介して付加装置の制御部１５に送られ、制御部１５は更にメモリ１６に記録された滞在国に於ける携帯電話発呼に必要なデータ、国際ローミング用データを付加してこれらを無線部１３に送る。【００１７】  以上の結果使用者は滞在国から母国内と全く同じ操作で母国に電話する事が出来る。一旦接続が成立すれば使用者は母国内に於ける携帯電話サービス、液晶表示による視覚情報（インターネット接続サービス）等を享受できる事は当然である。  なお母国と滞在国の携帯電話システム間のデータ取り扱いに違いがある場合、制御部１５及びメモリ部１６による方式変換により対応出来、更にはメモリ部１６に電子辞書を搭載することにより異言語間の翻訳等の応用を広め得る。
【実施例２】
【００１８】  本発明の第２の実施例の形態を図３に示す。
本実施形態においては、第１の実施形態に於ける付加装置のメモリ部１６の機能を携帯電話機用ＳＩＭカード１７により補完するもので、これにより例えば滞在国が複数にわたる場合でかつ通信方式が異なる場合にも対応できる。
ある。  これにより例えば滞在国が複数にわたる場合でもＳＩＭカードの交換により対応できる。
【図面の簡単な説明】
【００１９】
【図１】本発明による第１実施形態
【図２】従来の携帯電話機
【図３】本発明による第２実施形態
【符号の説明】
【００２０】  １：アンテナ
２：携帯電話機筐体
３：無線部
４：表示部
５：制御部
６：メモリ部
７：キー操作部
８：ヒューマンインターフェース
９：新携帯電話機と付加装置との結合接続部
１１：付加装置アンテナ
１２：付加装置筐体
１３：付加装置無線部
１５：付加装置制御部
１６：付加装置メモリ部
１７：ＳＩＭカード
１９：新携帯電話機と付加装置との結合接続部
【図１】
2005094721.tif 000003
【図２】
2005094721.tif 000004
【図３】
2005094721.tif 000005